(57)【特許請求の範囲】
【請求項１】
屋外空間部の外側に沿ってネットの吊り張りするために所望の間隔で孔を穿孔した後、下部支柱体を地中に埋設して支柱を立設するネット用の支柱の立設方法において、前記下部支柱体の断面形状を三角形状又は多角形状に形成し、ネット吊り張り方向に対して該下部支柱体の一方の角が垂直方向となるように孔に埋設するとともに、前記上部支柱体の断面形状を前記下部支柱体と同一又は相違する三角形状又は多角形状に形成し、ネットの吊り張り方向に対して該上部支柱体の一方の角が垂直方向となるように立設することを特徴とするネット用の支柱の立設方法。
【発明の詳細な説明】
【発明の詳細な説明】
【技術分野】
【０００１】本発明は、屋外の空間部を有する施設でその外周に沿って防球用のネットを吊り張りするのに使用するネット用の支柱の立設方法に関する。【０００２】従来、野球等の球技用で使用する屋外空間部（屋外グランド）では、屋外空間部より外側へのボールの飛び出しを防止するための防球用のネットを前記屋外空間部の外周に沿って吊り張りしている。【０００３】前記防球用のネットは、前記屋外空間部の外周に所望の間隔で立設された各支柱に取り付けられた連結具に直接又は滑車を介して移動するロープに間接的に取り付けられることで、支柱間に吊り張りされている。【０００４】前記支柱は一般的に円筒形状で、地面に埋設する下部支柱体と地上部分の上部支柱体とから構成され、立設方法は、地面に孔を穿孔し、型枠材を設置し該型枠材にコンクリートを流し込んで基盤強化した後、下部支柱体を挿入し固定して孔を埋めることで下部支柱体を立設することで上部支柱体を地上部分に立設する。【０００５】上記従来のネット用の支柱は通常上部支柱体及び下部支柱体共に円筒形状に形成され、強度を高めるために例えば、コンクリート製の上部支柱体と鋼鉄製の下部支柱体とを組み合わせたり、又は下部支柱部の軸芯方向に沿ってＩ字状、又は十字状にプレートを取り付けたりしている。
【特許文献１】特開２０１３−１１７１４６号
【特許文献２】実用新案登録第３０７７１３７号
【特許文献３】実開平０３−６３６６５号
【発明が解決しようとする課題】
【０００６】しかしながら、上記従来の支柱は、屋外に立設されているために吊り張りされたネットが風の影響を受け易く、従来の円筒形状の支柱、特に下部支柱体はネットの吊り張り方向に対して垂直な方向を補強すべく幅広のプレートを吊り張り方向と並行になるように下部支柱体に取り付ける必要がありその取り付け作業が煩雑であるとともに、穿孔する孔の径も大きくする必要があった。
【０００７】また、円筒形状の支柱は、上部支柱体に連結具を介して直接又は滑車を介して移動するロープに間接的にネットを取り付けるが、連結具の取り付けが球面への取り付けとなり、その取り付け作業効率が煩雑であるという欠点があった。
【０００８】また、上部支柱体が円筒形状に形成され上部支柱体の半面で風の影響を直接受けるために、ネットの吊り張りする面積及び風の影響を考え径を拡大する等の強度を補強しなければならない。
【０００９】さらに、風の影響を受けたネットが上部支柱体に絡みつくために、ネットの摩耗が激しいという問題点があった。
【００１０】そこで、本発明は上記課題を解決すべく、風の影響を受けにくく、支柱の立設時での強度があり、ネットの取り付けが容易なネット用の支柱の立設方法を提供することを課題とする。
【課題を解決するための手段】
【００１２】上記課題を解決する本発明の解決手段としてのネット用支柱の立設方法は、請求項１に記載のように、屋外空間部の外側に沿ってネットの吊り張りするために所望の間隔で孔を穿孔した後、下部支柱体を地中に埋設して支柱を立設するネット用の支柱の立儲方法において、前記下部支柱体の断面形状を三角形状又は多角形状に形成し、ネット吊り張り方法に対して該下部支柱体の一方の角が垂直方向となるように孔に埋設するとともに、前記上部支柱体の断面形状を前記下部支柱体と同一又は相違する三角形状又は多角形状に形成し、ネットの吊り張り方向に対して該上部支柱体の一方の角が垂直方向となるように立設することを特徴とする。
【発明の作用効果】
【００１３】本発明のネット用の支柱の立設方法の作用効果について説明する。
【００１８】また、ネットの吊り張りに沿って上部支柱体の対角線を垂直方向に設置することで、ネットの風方向に自在に対応して強度を保った状態で使用できる。
【００１９】次に、請求項２に記載のネット用の支柱の立設方法は、先ず屋外空間部の外周に沿って所望の間隔で孔を穿設した後、該孔に下部支柱体を挿入して埋設することで、地上部分に上部支柱体を立設する。
【００２０】その後、前記上部支柱体それぞれに直接又は間接的にネットを取り付けることで、屋外空間部の外周に沿ってネットを吊り張りすることができる。
【００２１】この際、前記下部支柱を形成する下部支柱体の断面形状を三角形状又は多角形状に形成することで、該下部支柱体の一方の角を、ネットを吊り張り方向に対して垂直方向となるように埋設することで他方の角がネットの吊り張り方向に対して並行方向となり、ネットが受ける風方向に対し地中の面積を拡大することができ、より強固に支柱を立設することができる。
【００２２】また、前記上部支柱体の断面形状を下部支柱体と同一又は相違する三角形状又は多角形状に形成し、該上部支柱体の一方の角をネットの吊り張り方向に対して垂直方向となるように立設することで、ネットと上部支柱体の側面との接触面積を減少するとともに、ネットが受ける風の荷重を左右方向に流すことで、風の影響を軽減することができる。
【００２３】また、風の影響を受けたネットを一端側で支えることができ、上部支柱体にネットが絡みつくことがない。
【００２４】このように、本願発明のネット用の支柱の立設方法は、下部支柱体の断面形状を三角形状又は多角形状に形成することで、ネットの吊り張り方向に対して垂直方向に一方の角を一致させ強度を増した状態で立設でき、その立設工程が容易であり、また、少なくとも前記上部支柱体の断面形状を三角形状又は多角形状に形成することで、ネットの吊り張り方向に対して垂直方向に一方の角を一致させ風の抵抗を分散することができ、上部支柱体の強度を維持して安全に立設することができ、容易に支柱を立設することができる。
【発明を実施するための最良の形態】
【００２５】次に、本発明のネット用の支柱の立設方法について図面を参照して説明する。【００２６】図１は本発明のネット用の支柱の一実施例を示す概略平面図であり、図２は図１のネット用の支柱を示す概略側面図であり、図３は並行方向にネットを吊り張りした状態を示す概略説明図であり、図４は円弧状にネットを吊り張りした状態を示す概略説明図であり、図５、図６及び図７は本発明のネット用の支柱の他実施例を示す概略平面図であり、図８は図７のネット用の支柱を示す概略側面図であり、図９及び図１０はネット用の支柱の他実施例を示す概略平面図であり、図１１は図１０の下部支柱体を示す概略側面図であり、図１２は本発明のネット用の支柱の立設方法を示すフローチャートである。【００２７】本発明のネット用の支柱１は、地中に埋設する下部支柱体２と、地上部分に立設される上部支柱体３とから構成されている。【００２８】前記下部支柱体２は、断面形状が三角形状又は多角形状（実施例では正方形状）で、側面は下部側より上部側が幅狭に傾斜して形成され、該下部支柱体２の上端面に連続して一体的に上部支柱体３が取り付けられ、上部支柱体３の上端側にはネット取り付け用のロープを移動する滑車（図示せず）が取り付けられている。【００２９】上記のように、本発明のネット用の支柱１は下部支柱体２と上部支柱体３とが一体的に形成されているが、本発明のネット用の支柱１の構成はこれに限定されるものでなく、下部支柱体２と上部支柱体３とを別体として構成することも可能である。【００３０】これにより、下部支柱体２の対角線Ａと上部支柱体３の対角線Ｂとを交差するように連結し、下部支柱体２と上部支柱体３とで強度をさらに補強することも可能であり、また、下部支柱体２と上部支柱体３の断面形状を相違させることで、風等の影響を自在に対応することができる。例えば、下部支柱体２の断面形状を五角形に形成し、上部支柱体３の断面形状を三角形状に形成することで、下部支柱体２の一方の角をネット４の吊り張り方向に対して垂直方向にするとともに、他の角をネットの吊り張り方向に対して並行方向にすることとなり、下部支柱体の埋設時の強度を維持でき、また、上部支柱体３は一方の角をネットの吊り張り方向に対して垂直方向に一致させることで、他の２つの角がネットの吊り張り方向に対して並行方向となり、風の流れを分散することができる。【００３１】また、上記ネット用の支柱１は下部支柱体２と上部支柱体３の断面形状を正方形に形成したが、本発明において、下部支柱体２と上部支柱体３との断面形状はこれに限定されるものでなく、長方形状、五角形状等に形成することも可能で、ネット４の高低に応じて受ける風の影響に対応して自在に選択することも可能である。【００３２】本発明のネット用の支柱１は上記のように構成され、次に該ネット用の支柱１を用いて屋外空間部の防球用ネット４を吊り張りするのに使用する場合について説明する。【００３３】先ず、屋外空間部に設置するネット４の面積の大小、及びネット４を吊り張りする高さに応じてネット用の支柱１を選択する。【００３４】即ち、ネット４の面積が大きく、吊り張りする高さが高いと風の影響を受け易く、上部支柱体３の断面形状を三角形状、又は四角形状等少ない角に形成し、一方の角をネット４の吊り張り方向に対して垂直方向とすることで風を左右方向に分散でき、また、上部支柱体３と下部支柱体２との断面形状を相違する場合は、下部支柱体２を四角形等にすることで、下部支柱体２の埋設時の強度を強化することができる。【００３５】また、下部支柱体２と上部支柱体３とを別体で形成した場合は、上部支柱体３を鋼管ポール等のコンクリート製より強度を有する材質で構成することで、さらに、強度を強化することができる。【００３６】次に、上記のようにして選択したネット用の支柱１を立設する場合は、屋外空間部の外周に沿って所望の間隔で孔を穿孔し、該孔にネット用の支柱１の下部支柱体２を挿入する。この際、該ネット用の支柱１の上部支柱体３がネット４の吊り張り方向に対して、一方の端部側を垂直方向になるように挿入する（本願実施例では一方の対角線方向を垂直方向に一致させる）。【００３７】即ち、屋外空間部の外周部分が直線状に形成されている部分は、隣り合う支柱１は上部支柱体３をそれぞれ同じ方向になるように立設し、円弧状に形成されている部分は、中心点を基準とする方向にそれぞれ対角線を一致させることで、ネット４の吊り張り方向に対して対角線が垂直方向と一致することとなる。【００３８】これにより、ネット４の受ける風方向に対して上部支柱体３は左右方向に風の影響を受け流してネット４の吊り張りを維持できるとともに、下部支柱体２の一方の角がネット４の吊り張り方向に対して垂直方向であるために、風を受ける方向に対して強度を強化することができ、安全に立設することができる。【００３９】このように、ネット４の吊り張りする高低及び風の影響に応じてネット用の支柱１の対角線をネット４に対して垂直方向となるように立設することで、自在に対応することができる。【００４０】また、上記実施例では、下部支柱体２と上部支柱体３との断面形状を同一形状に形成したが、本願発明において、ネット用の支柱１は下部支柱体２と上部支柱体３との断面形状を同一形状に形成することに限定されるものでなく、例えば、下部支柱体２の断面形状を五角形状に形成し、上部支柱体３の断面形状を三角形状に形成することで、下部支柱体２の埋設時の強度を強化するとともに、上部支柱体３の風を分散し易く構成することも可能である。【００４１】また、本実施例では下部支柱体２と上部支柱体３とを一体的に形成したが、本願発明において支柱１の構成はこれに限定されるものでなく、下部支柱体２と上部支柱体３を別体に構成することで、下部支柱体２の断面形状と上部支柱体３の断面形状とを自在に設定することができ、例えば、下部支柱体２の断面形状を五角形状に形成し、上部支柱体２の断面形状を三角形状に形成することで、下部支柱体２はネット４方向に対して強度を維持することができ、上部支柱体３は風を左右方向に分散して継続性を格段に維持することができ、また、下部支柱体２の断面形状を四角形状にし、上部支柱体３の断面形状を三角形状に形成することも可能である。【００４２】また、下部支柱体２の断面形状が三角形状又は多角形状に形成されているために、その各端部に沿ってプレート５を取り付けでき、下部支柱体２の埋設時の強度を格段に向上することができる。【００４３】また、上記実施例では、下部支柱体２と上部支柱体３との断面形状を三角形状、正方形状、又は正五角形状等各辺が等辺で形成したが、本願発明において断面形状はこれに限定されるものでなく、長方形状や各角度の相違する多角形状で形成することも可能である。これにより、ネット４の吊り張り方向に対して垂直方向に一番鋭角部分を一致させる一方の角のみ鋭角に形成し、該部分による風の左右方向より分散することも可能である。
【図面の簡単な説明】
【００４４】
【図１】本発明のネット用の支柱の一実施例を示す概略平面図
【図２】図１のネット用の支柱を示す概略側面図
【図３】並行方向にネットを吊り張りした状態を示す概略説明図
【図４】円弧状にネットを吊り張りした状態を示す概略説明図
【図５】本発明のネット用の支柱の他実施例を示す概略平面図
【図６】本発明のネット用の支柱の他実施例を示す概略平面図
【図７】本発明のネット用の支柱の他実施例を示す概略平面図
【図８】図７のネット用の支柱を示す概略側面図
【図９】本発明のネット用の支柱を示す概略平面図
【図１０】本発明のネット用の支柱を示す概略平面図
【図１１】図１０のネット用の支柱の下部支柱体を示す概略側面図
【図１２】本発明のネット用の支柱の立設方法を示フローチャート
【符号の説明】
【００４５】１−ネット用の支柱、２―下部支柱体、３−上部支柱体、４−ネット
【要約】
【課題】本発明は、防球用ネットの風対策が安全に行え、且つ容易に行えるネット用の支柱、及びネット用の支柱の立設方法を提供することを課題とする。
【解決手段】屋外空間部の外周に沿って吊り張りするために、地中に穿孔した孔に埋設された下部支柱体と、地上部分でネットを連結する上部支柱体とから構成されたネット用の支柱において、前記ネットの吊り張り方向に対して垂直方向に一方の角を一致し、埋設すべく少なくとも前記下部支柱体を三角形状又は多角形状に形成、又は風等に対向すべく少なくとも前記上部支柱体を矩形状に形成することである。
【選択図】図１【図１】
0005962936.tif 000002
【図２】
0005962936.tif 000003
【図３】
0005962936.tif 000004
【図４】
0005962936.tif 000005
【図５】
0005962936.tif 000006
【図６】
0005962936.tif 000007
【図７】
0005962936.tif 000008
【図８】
0005962936.tif 000009
【図９】
0005962936.tif 000010
【図１０】
0005962936.tif 000011
【図１１】
0005962936.tif 000012
【図１２】
0005962936.tif 000013